(57)【要約】【課題】湾曲した状態のケースが変形することを最少化し、ケースの湾曲した状態を維持する二次電池を提供する。【解決手段】本発明の一実施形態にかかる二次電池は、充電および放電作用する電極アセンブリと、前記電極アセンブリを収容するケースと、前記ケースの開口を密封するキャッププレートと、前記キャッププレートに設けられ、前記電極アセンブリに電気的に連結される電極端子とを含み、前記ケースは、前記電極アセンブリの中心に向かって湾曲する第１曲面部、および前記中心から遠くなるように湾曲する第２曲面部と、前記第１曲面部に付着する補強部材とを含む。【選択図】図１
2015103517.tif 000002
【特許請求の範囲】
【請求項１】
充電および放電作用する電極アセンブリと、
前記電極アセンブリを収容するケースと、
前記ケースの開口を密封するキャッププレートと、
前記キャッププレートに設けられ、前記電極アセンブリに電気的に連結される電極端子とを含み、
前記ケースは、
前記電極アセンブリの中心に向かって湾曲する第１曲面部、および前記中心から遠くなるように湾曲する第２曲面部と、
前記第１曲面部に付着する補強部材とを含むことを特徴とする、二次電池。
【請求項２】
前記ケースは、
互いに交差する第１方向、第２方向および第３方向で立体に形成され、
前記第１方向および前記第２方向に設定される平面を、前記第３方向の曲率半径で湾曲するように形成されることを特徴とする、請求項１に記載の二次電池。
【請求項３】
前記補強部材は、
前記第１方向に設定された幅を有し、前記第２方向に伸びて付着することを特徴とする、請求項２に記載の二次電池。
【請求項４】
前記補強部材は、
複数備えられ、前記第１方向に沿って互いに離隔して付着することを特徴とする、請求項３に記載の二次電池。
【請求項５】
前記補強部材は、
金属で形成され、金属で形成される前記ケースに溶接で付着することを特徴とする、請求項４に記載の二次電池。
【請求項６】
前記補強部材は、
樹脂で形成され、金属で形成される前記ケースに熱融着またはホットメルティング（ｈｏｔ  ｍｅｌｔｉｎｇ）方式で付着することを特徴とする、請求項４に記載の二次電池。
【請求項７】
前記補強部材は、
前記第２方向に設定された幅を有し、前記第１方向に伸びて付着することを特徴とする、請求項２に記載の二次電池。
【請求項８】
前記補強部材は、
複数備えられ、前記第２方向に沿って互いに離隔して付着することを特徴とする、請求項７に記載の二次電池。
【請求項９】
前記補強部材は、
前記平面の１つの位置を中心として互いに交差する方向に伸びて付着することを特徴とする、請求項２に記載の二次電池。
【請求項１０】
前記補強部材は、
前記平面で設定された幅を有し、前記第１方向および前記第２方向に交差する方向に伸びて付着することを特徴とする、請求項２に記載の二次電池。
【請求項１１】
前記補強部材は、
複数備えられ、前記交差する方向に再び交差する方向に沿って互いに離隔して付着することを特徴とする、請求項１０に記載の二次電池。
【請求項１２】
前記補強部材は、
前記平面の４つの角にそれぞれ位置し、隣り合う２辺に交差する方向に伸びて付着することを特徴とする、請求項２に記載の二次電池。
【請求項１３】
前記補強部材は、
メッシュで形成され、前記平面に付着することを特徴とする、請求項２に記載の二次電池。
【請求項１４】
前記ケースは、
前記第１方向および前記第２方向に設定される平面を、前記第２方向に直線をなしつつ、前記第３方向の曲率半径で湾曲するように形成することを特徴とする、請求項２に記載の二次電池。
【請求項１５】
前記ケースは、
前記第１方向および前記第２方向に設定される平面を、前記第１方向に直線をなしつつ、前記第３方向の曲率半径で湾曲するように形成することを特徴とする、請求項２に記載の二次電池。
【請求項１６】
前記補強部材は、
前記第３方向の曲率半径で湾曲して前記第１曲面部に付着することを特徴とする、請求項１５に記載の二次電池。
【請求項１７】
前記補強部材は、クラッドメタル（ｃｌａｄ  ｍｅｔａｌ）で形成されることを特徴とする、請求項１に記載の二次電池。
【請求項１８】
前記ケースは、アルミニウムで形成され、
前記クラッドメタルは、
前記ケースに接着されるアルミニウム層と、
前記アルミニウム層に接着される補強層とを含むことを特徴とする、請求項１７に記載の二次電池。
【請求項１９】
前記補強部材は、
ラミネート（ｌａｍｉｎａｔｅ）または両面テープで形成され、前記平面に接着されることを特徴とする、請求項１に記載の二次電池。
【請求項２０】
前記補強部材は、
合成樹脂で形成され、前記平面にホットメルティング（ｈｏｔ  ｍｅｌｔｉｎｇ）射出で接着されることを特徴とする、請求項１に記載の二次電池。
【発明の詳細な説明】
【技術分野】
【０００１】
本発明は、湾曲した（ｃｕｒｖｅｄ）ケースを有する二次電池に関するものである。
【背景技術】
【０００２】
二次電池（ｒｅｃｈａｒｇｅａｂｌｅ  ｂａｔｔｅｒｙ）は、一次電池とは異なり、充電および放電を繰り返し行う電池である。小容量の二次電池は、携帯電話やノートパソコンおよびビデオカメラのように携帯が可能な小型電子機器に用いられ、大容量の二次電池は、電気自転車、スクータ、電気自動車（ｅｌｅｃｔｒｉｃ  ｖｅｈｉｃｌｅ）およびフォークリフト（ｆｏｒｋ  ｌｉｆｔ）などのモータ駆動用電源として用いられる。
【０００３】
二次電池は、セパレータを挟んで正極と負極を積層してゼリーロール形態に巻き取った電極アセンブリと、電極アセンブリを電解液と共に内部に収容するケースと、ケースの一側開口を密封するキャッププレートと、キャッププレートに設けられ、電極アセンブリに電気的に連結される電極端子とを含む。
【０００４】
電子機器は、曲面形状を有することがあり、これにより、曲面形状を有する二次電池を要することもある。例えば、二次電池は、ケースを一側に湾曲した状態に形成することができる。この時、ケースは、湾曲した状態で凹曲面部および凸曲面部を有する。
【０００５】
このようなケースを適用する二次電池が充電されると、ケースにおいて湾曲した凹曲面部は、湾曲した状態を維持することができず膨張することがある。つまり、湾曲した凹曲面部が変形することにより、ケースの凹曲面部および凸曲面部の間隔で設定される二次電池の全厚が増加することがある。
【発明の概要】
【発明が解決しようとする課題】
【０００６】
本発明の一実施形態は、湾曲した状態のケースが変形することを最少化し、ケースの湾曲した状態を維持する二次電池を提供する。
【課題を解決するための手段】
【０００７】
本発明の一実施形態にかかる二次電池は、充電および放電作用する電極アセンブリと、前記電極アセンブリを収容するケースと、前記ケースの開口を密封するキャッププレートと、前記キャッププレートに設けられ、前記電極アセンブリに電気的に連結される電極端子とを含み、前記ケースは、前記電極アセンブリの中心に向かって湾曲する第１曲面部、および前記中心から遠くなるように湾曲する第２曲面部と、前記第１曲面部に付着する補強部材とを含む。
【０００８】
前記ケースは、互いに交差する第１方向、第２方向および第３方向で立体に形成され、前記第１方向（幅、ｘ軸方向）および前記第２方向（高さ、ｚ軸方向）に設定される平面（ｘｚ平面）を、前記第３方向（厚さ、ｙ軸方向）の曲率半径で湾曲するように形成されるとよい。
【０００９】
前記補強部材は、前記第１方向（幅、ｘ軸方向）に設定された幅を有し、前記第２方向（高さ、ｚ軸方向）に伸びて付着できる。
前記補強部材は、複数備えられ、前記第１方向（幅、ｘ軸方向）に沿って互いに離隔して付着できる。
【００１０】
前記補強部材は、金属で形成され、金属で形成される前記ケースに溶接で付着できる。
前記補強部材は、樹脂で形成され、金属で形成される前記ケースに熱融着またはホットメルティング（ｈｏｔ  ｍｅｌｔｉｎｇ）方式で付着できる。
前記補強部材は、前記第２方向（高さ、ｚ軸方向）に設定された幅を有し、前記第１方向（幅、ｘ軸方向）に伸びて付着できる。
【００１１】
前記補強部材は、複数備えられ、前記第２方向（高さ、ｚ軸方向）に沿って互いに離隔して付着できる。
【００１２】
前記補強部材は、前記平面（ｘｚ平面）の１つの位置を中心として互いに交差する方向（対角線方向）に伸びて付着できる。
前記補強部材は、前記平面（ｘｚ平面）で設定された幅を有し、前記第１方向（幅、ｘ軸方向）および前記第２方向（高さ、ｚ軸方向）に交差する方向（斜線方向）に伸びて付着できる。
前記補強部材は、複数備えられ、前記交差する方向に再び交差する方向（斜線の交差方向）に沿って互いに離隔して付着できる。
【００１３】
前記補強部材は、前記平面（ｘｚ平面）の４つの角にそれぞれ位置し、隣り合う２辺に交差する方向に伸びて付着できる。
前記ケースは、前記平面（ｘｚ平面）を、前記第２方向に直線をなしつつ、前記第３方向の曲率半径で湾曲するように形成することができる。
【００１４】
前記ケースは、前記平面（ｘｚ平面）を、前記第１方向に直線をなしつつ、前記第３方向の曲率半径で湾曲するように形成することができる。
前記補強部材は、前記第３方向の曲率半径で湾曲して前記第１曲面部に付着できる。
前記補強部材は、メッシュで形成され、前記平面（ｘｚ平面）に付着できる。
【００１５】
前記補強部材は、クラッドメタル（ｃｌａｄ  ｍｅｔａｌ）で形成されるとよい。前記ケースは、アルミニウムで形成され、前記クラッドメタルは、前記ケースに接着されるアルミニウム層と、前記アルミニウム層に接着される補強層とを含むことができる。
【００１６】
前記補強部材は、ラミネート（ｌａｍｉｎａｔｅ）または両面テープで形成され、前記平面（ｘｚ平面）に接着されるとよい。
前記補強部材は、合成樹脂で形成され、前記平面（ｘｚ平面）にホットメルティング（ｈｏｔ  ｍｅｌｔｉｎｇ）射出で接着されるとよい。
【発明の効果】
【００１７】
このように、本発明の一実施形態によれば、ケースにおいて電極アセンブリの中心に向かって湾曲した第１曲面部（凹曲面部）に補強部材を付着させることにより、充電および放電時、二次電池の内部圧力によってケースが膨らむ変形を最少化する効果がある。したがって、二次電池は、ケースの湾曲状態を強固に維持することができる。
【図面の簡単な説明】
【００１８】
【図１】本発明の第１実施形態にかかる二次電池の分解斜視図である。
【図２】図１のＩＩ−ＩＩ線に沿った断面図である。
【図３】図１の二次電池に用いられるケースの正面図である。
【図４】図３のＩＶ−ＩＶ線に沿ったケースの横断面図である。
【図５】本発明の第２実施形態にかかる二次電池に用いられるケースの正面図である。
【図６】図５のＶＩ−ＶＩ線に沿ったケースの横断面図である。
【図７】本発明の第３実施形態にかかる二次電池に用いられるケースの正面図である。
【図８】本発明の第４実施形態にかかる二次電池に用いられるケースの正面図である。
【図９】本発明の第５実施形態にかかる二次電池に用いられるケースの正面図である。
【図１０】本発明の第６実施形態にかかる二次電池に用いられるケースの正面図である。
【図１１】本発明の第７実施形態にかかる二次電池に用いられるケースの横断面図である。
【図１２】本発明の第８実施形態にかかる二次電池に用いられるケースの横断面図である。
【図１３】本発明の第９実施形態にかかる二次電池に用いられるケースの横断面図である。
【図１４】本発明の第１０実施形態にかかる二次電池に用いられるケースの縦断面図である。
【発明を実施するための形態】
【００１９】
以下、添付した図面を参照して、本発明の実施形態について、本発明の属する技術分野における通常の知識を有する者が容易に実施できるように詳細に説明する。しかし、本発明は、様々な異なる形態で実現可能であり、ここで説明する実施形態に限定されない。図面において、本発明を明確に説明するために説明上不必要な部分は省略し、明細書全体にわたって同一または類似の構成要素については同一の参照符号を付した。
【００２０】
図１は、本発明の第１実施形態にかかる二次電池の分解斜視図であり、図２は、図１のＩＩ−ＩＩ線に沿った断面図である。
図１および図２を参照すれば、第１実施形態の二次電池は、電流を充電および放電する電極アセンブリ１０と、電極アセンブリ１０を電解液と共に収容するケース２０と、ケース２０の上端開口を密封するキャッププレート３０と、キャッププレート３０の端子ホール３１に設けられ、電極アセンブリ１０に電気的に連結される電極端子４０とを含む。
【００２１】
また、第１実施形態の二次電池は、電極端子４０を電極アセンブリ１０に電気的に連結するターミナルプレート５０と、キャッププレート３０と電極アセンブリ１０との間に設けられる絶縁ケース６０とをさらに含む。
【００２２】
図示しないが、二次電池は、電極アセンブリを角型ケースに挿入して組み立てた後、湾曲加工により全体的に湾曲できる。便宜上、本実施形態は、ケース２０を湾曲した角型に形成し、電極アセンブリ１０をケース２０に対応する状態で湾曲するように形成して、電極アセンブリ１０をケース２０に挿入して形成される二次電池を例示する。
【００２３】
電極アセンブリ１０は、ケース２０の内部に挿入されるように、湾曲した角型ケース２０の内部空間に対応する形状を有する。例えば、ケース２０は、電極アセンブリ１０の広い曲面（ｘｚ平面側）に対応する曲面部２０１と、曲面部２０１の両側に形成され、電極アセンブリ１０の側面（ｙｚ平面側）に対応する側面部２０２とを含む。
【００２４】
湾曲したケース２０は、上部に備えられる開口を通して、湾曲した電極アセンブリ１０および湾曲した絶縁ケース６０の挿入を可能にし、開口に湾曲したキャッププレート３０の結合を可能にし、挿入される電極アセンブリ１０を収容し、電極端子の役割を果たすことができるように導電体で形成される。例えば、ケース２０は、アルミニウムまたはアルミニウム合金で形成されるとよい。
【００２５】
電極アセンブリ１０は、電気絶縁材のセパレータ１３を挟んでその両面に正極１１と負極１２を積層してゼリーロール形態に巻き取って形成される。電極アセンブリ１０は、正極１１に連結される正極リードタブ１４と、負極１２に連結される負極リードタブ１５とを備える。
【００２６】
正極リードタブ１４は、キャッププレート３０の下面に溶接で連結され、ケース２０は、キャッププレート３０を介して電極アセンブリ１０の正極１１に電気的に連結され、正極端子として作用する。
負極リードタブ１５は、電極端子４０の一端に連結されるターミナルプレート５０の下面に溶接で連結され、キャッププレート３０の端子ホール３１に備えられる電極端子４０は、電極アセンブリ１０の負極１２に電気的に連結され、負極端子として作用する。
【００２７】
図示しないが、負極リードタブがキャッププレートに連結され、ケースが負極端子として作用し、正極リードタブが電極端子に連結され、電極端子が正極端子として作用してもよい。
電極端子４０は、絶縁ガスケット４１を介在させてキャッププレート３０の端子ホール３１に挿入される。つまり、絶縁ガスケット４１は、端子ホール３１と電極端子４０とを電気的に絶縁し、端子ホール３１と電極端子４０との間にシーリング構造を形成する。
【００２８】
ターミナルプレート５０は、絶縁プレート５５を介在させて電極端子４０に電気的に連結される。つまり、絶縁プレート５５は、キャッププレート３０とターミナルプレート５０とを電気的に絶縁し、キャッププレート３０とターミナルプレート５０との間にシーリング構造をさらに形成する。
【００２９】
キャッププレート３０は、電解液注入口３２をさらに備える。電解液注入口３２は、ケース２０にキャッププレート３０を結合した後、ケース２０の内部に電解液の注入を可能にする。電解液の注入後、電解液注入口３２は密封栓３３で密封される。
絶縁ケース６０は、湾曲したケース２０に対応するように湾曲して、ケース２０の内部で電極アセンブリ１０とターミナルプレート５０との間に設けられ、電極アセンブリ１０とターミナルプレート５０とを電気的に絶縁する。つまり、絶縁ケース６０は、電極アセンブリ１０の正極１１と、負極性を有するターミナルプレート５０とを電気的に絶縁させる。
【００３０】
また、絶縁ケース６０は、正極リードタブ１４および負極リードタブ１５を貫通させるタブホール１４１、１５１を備える。したがって、正極リードタブ１４は、タブホール１４１を貫通してキャッププレート３０に連結され、負極リードタブ１５は、タブホール１５１を貫通してターミナルプレート５０に連結されるとよい。
図３は、図１の二次電池に用いられるケースの正面図であり、図４は、図３のＩＶ−ＩＶ線に沿ったケースの横断面図である。
【００３１】
図３および図４を参照すれば、ケース２０は、湾曲した状態の曲面部２０１と、曲面部２０１に付着する補強部材２０３とをさらに含む。ケース２０の曲面部２０１は、電極アセンブリ１０の中心に向かって湾曲する第１曲面部（以下、「凹曲面部」という）２１１と、中心から遠くなるように湾曲する第２曲面部（以下、「凸曲面部」という）２１２とを含む。つまり、湾曲したケース２０において曲率半径方向を基準とする時、凹曲面部２１１は、内側部分を形成し、凸曲面部２１２は、曲率半径の外側部分を形成する。
【００３２】
補強部材２０３は、凹曲面部２１１に付着して凹曲面部２１１の強度を補強することにより、充電および放電時に発生する二次電池の内部圧力によって凹曲面部２１１が膨らむ変形を抑制することができる。
【００３３】
より詳細に説明すれば、ケース２０は、互いに交差する第１方向（ｘ軸方向またはケースの幅方向）、第２方向（ｚ軸方向またはケースの高さ方向）および第３方向（ｙ軸方向またはケースの厚さ方向）で立体に形成され、ｘ軸方向およびｚ軸方向に設定されるｘｚ平面を、ｙ軸方向の曲率半径で湾曲した状態に形成する。
【００３４】
補強部材２０３は、ｘ軸方向に設定された幅Ｗを有し、ｚ軸方向に伸びて凹曲面部２１１に付着する。また、補強部材２０３は、凹曲面部２１１に対応するように複数備えられ、隣り合う補強部材２０３は、ｘ軸方向に沿って互いに間隔Ｇをおいて付着できる。
例えば、補強部材２０３は、金属で形成され、金属で形成されるケース２０の凹曲面部２１１に溶接で付着できる。ケース２０および補強部材２０３は、同じ材質、つまり、アルミニウムまたはアルミニウム合金で形成され、溶接時、高い付着強度を有することができる。
【００３５】
また、補強部材２０３は、樹脂で形成されるとよく、この場合、金属で形成されるケース２０に熱融着またはホットメルティング（ｈｏｔ  ｍｅｌｔｉｎｇ）方式で付着できる。金属に比べて、樹脂で形成される補強部材２０３は、ケース２０の凹曲面部２１１で電気絶縁性をより向上させることができる。
【００３６】
つまり、補強部材２０３がケース２０の凹曲面部２１１でｘ軸方向に幅Ｗおよび間隔Ｇを有し、ｚ軸方向に伸びて付着する。したがって、補強部材２０３の有無によって、凹曲面部２１１は、ｚ軸方向に同じ２種類の強度を有しつつ、ｘ軸方向に増減する強度を有する。
【００３７】
二次電池の内部圧力によって凹曲面部２１１が湾曲した状態で広がろうとする作用力を受けるが、補強部材２０３によって、凹曲面部２１１に設定される強度分布は、凹曲面部２１１の広がろうとする作用力を抑制することができる。したがって、ケース２０の凹曲面部２１１が膨らむ変形が防止可能になる。
【００３８】
以下、本発明の多様な実施形態を例示する。以下の実施形態の記載において、第１実施形態および既に説明された実施形態と比較して同一の構成に関する記載を省略し、互いに異なる構成について記載する。
図５は、本発明の第２実施形態にかかる二次電池に用いられるケースの正面図であり、図６は、図５のＶＩ−ＶＩ線に沿ったケースの横断面図である。図５および図６を参照すれば、第２実施形態において、ケース２２０の補強部材２２３は、ｚ軸方向に設定された幅Ｗ２を有し、ｘ軸方向に伸びて凹曲面部２２１に付着する。また、補強部材２２３は、複数備えられ、ｚ軸方向に沿って間隔Ｇ２をおいて付着できる。
【００３９】
つまり、補強部材２２３がケース２２０の凹曲面部２２１にｚ軸方向に幅Ｗ２および間隔Ｇ２を有し、ｘ軸方向に伸びてｙ軸方向の曲率に沿って付着する。したがって、補強部材２２３の有無によって、凹曲面部２２１は、ｘ軸方向に同じ２種類の強度を有しつつ、ｚ軸方向に増減する強度を有する。
【００４０】
二次電池の内部圧力によって凹曲面部２２１が湾曲した状態で広がろうとする作用力を受けるが、補強部材２２３によって、凹曲面部２２１に設定される強度分布は、凹曲面部２２１の広がろうとする作用力を抑制することができる。したがって、ケース２２０の凹曲面部２２１が膨らむ変形が防止可能になる。
【００４１】
図７は、本発明の第３実施形態にかかる二次電池に用いられるケースの正面図である。図７を参照すれば、第３実施形態において、ケース３２０の補強部材３２３は、ｘｚ平面の１つの位置を中心として互いに交差する対角線方向に伸びてｙ軸方向の曲率に沿って付着する。
【００４２】
したがって、補強部材３２３の有無によって、凹曲面部３２１は、対角線方向に沿って補強されながら、ｘ軸およびｚ軸方向に増減する強度を有する。
二次電池の内部圧力によって凹曲面部３２１が湾曲した状態で広がろうとする作用力を受けるが、補強部材３２３によって、凹曲面部３２１に設定される強度分布は、凹曲面部３２１の広がろうとする作用力を抑制することができる。したがって、ケース３２０の凹曲面部３２１が膨らむ変形が防止可能になる。
【００４３】
図８は、本発明の第４実施形態にかかる二次電池に用いられるケースの正面図である。図８を参照すれば、第４実施形態において、ケース４２０の補強部材４２３は、ｘｚ平面で設定された幅Ｗ４を有し、ｘ軸方向およびｚ軸方向に交差する斜線方向に伸びて付着する。また、補強部材４２３は、複数備えられ、斜線方向に交差する方向に沿って間隔Ｇ４をおいて付着できる。
【００４４】
つまり、補強部材４２３がケース４２０の凹曲面部４２１に斜線に交差する方向に幅Ｗ４および間隔Ｇ４を有し、斜線方向に伸びてｙ軸方向の曲率に沿って付着する。したがって、補強部材４２３の有無によって、凹曲面部４２１は、斜線方向に同じ２種類の強度を有しつつ、斜線方向に交差する方向に増減する強度を有する。
【００４５】
二次電池の内部圧力によって凹曲面部４２１が湾曲した状態で広がろうとする作用力を受けるが、補強部材４２３によって、凹曲面部４２１に設定される強度分布は、凹曲面部４２１の広がろうとする作用力を抑制することができる。したがって、ケース４２０の凹曲面部４２１が膨らむ変形が防止可能になる。
【００４６】
図９は、本発明の第５実施形態にかかる二次電池に用いられるケースの正面図である。図９を参照すれば、第５実施形態において、ケース５２０の補強部材５２３は、ｘｚ平面の４つの角にそれぞれ位置し、隣り合う２辺に交差する方向に伸びて付着する。
【００４７】
つまり、補強部材５２３は、ケース５２０の凹曲面部５２１の４つの角で２辺に交差する方向に幅Ｗ５を有し、伸びてｙ軸方向の曲率に沿って付着する。
したがって、補強部材５２３の有無によって、凹曲面部５２１は、２辺に交差する方向に沿って補強されながら、ｘ軸およびｚ軸方向に増減する強度を有する。
【００４８】
二次電池の内部圧力によって凹曲面部５２１が湾曲した状態で広がろうとする作用力を受けるが、補強部材５２３によって、凹曲面部５２１に設定される強度分布は、凹曲面部５２１の広がろうとする作用力を抑制することができる。したがって、ケース５２０の凹曲面部５２１が膨らむ変形が防止可能になる。
【００４９】
図１０は、本発明の第６実施形態にかかる二次電池に用いられるケースの正面図である。図１０を参照すれば、第６実施形態において、ケース６２０の補強部材６２３は、メッシュで形成され、ｘｚ平面に付着する。
つまり、補強部材６２３がケース６２０の凹曲面部６２１にｘ軸およびｚ軸方向に配置され、ｙ軸方向の曲率に沿って付着する。したがって、補強部材６２３によって、凹曲面部６２１は、全体的に均一な強度を有することができる。
【００５０】
以下、ケースの凹曲面部に補強部材を付着させる方法について説明する。以下の実施形態に例示した補強部材は、第１実施形態ないし第６実施形態に例示した補強部材で適用可能である。
【００５１】
図１１は、本発明の第７実施形態にかかる二次電池に用いられるケースの横断面図である。図１１を参照すれば、第７実施形態において、ケース７２０の補強部材７２３は、クラッドメタル（ｃｌａｄ  ｍｅｔａｌ）で形成されるとよい。
【００５２】
つまり、ケース７２０がアルミニウムで形成される場合、補強部材７２３は、アルミニウム層７２４と、補強層７２５とを有するクラッドメタルで形成されるとよい。つまり、クラッドメタルをケース７２０の凹曲面部７２１に圧着することにより、補強部材７２３は、補強層７２５を備えた状態でアルミニウム層７２４によって凹曲面部７２１に接着される。
【００５３】
補強部材７２３、つまり、クラッドメタルは、ケース７２０と同じ材質のアルミニウム層７２４を備えるため、凹曲面部７２１に強固に付着可能で、補強層７２５を別途に備えるため、凹曲面部７２１の強度を多様に選択することができる。
【００５４】
図１２は、本発明の第８実施形態にかかる二次電池に用いられるケースの横断面図である。図１２を参照すれば、第８実施形態において、ケース８２０の補強部材８２３は、複数の金属層を備えるラミネート（ｌａｍｉｎａｔｅ）または両面テープで形成され、ｘｚ平面に接着される。
【００５５】
つまり、補強部材８２３は、接着層８２４と、補強層８２５とを含む。ラミネート（ｌａｍｉｎａｔｅ）または両面テープは、ケース８２０の凹曲面部８２１に補強部材８２３の付着を容易にする。
【００５６】
図１３は、本発明の第９実施形態にかかる二次電池に用いられるケースの横断面図である。図１３を参照すれば、第９実施形態において、ケース９２０の補強部材９２３は、合成樹脂で形成され、ｘｚ平面にホットメルティング（ｈｏｔ  ｍｅｌｔｉｎｇ）射出で接着される。つまり、ケース９２０と補強部材９２３をホットメルティングで同時に射出すると、補強部材９２３は、ｘ軸方向の両端９２４でケース９２０の凹曲面部９２１に付着する。
【００５７】
図１４は、本発明の第１０実施形態にかかる二次電池に用いられるケースの縦断面図である。図１４を参照すれば、第１０実施形態のケース１２０は、ｘｚ平面を、ｘ軸方向に直線をなしつつ、ｙ軸方向の曲率半径で湾曲するように形成する。つまり、ケース１２０は、図１４において上下方向に湾曲した構造をなす。
【００５８】
第１ないし第９実施形態において、ケース２０、２２０、３２０、４２０、５２０、６２０、７２０、８２０、９２０は、ｘｚ平面を、ｚ軸方向に直線をなしつつ、ｙ軸方向の曲率半径で湾曲するように形成する。つまり、ケース２０、２２０、３２０、４２０、５２０、６２０、７２０、８２０、９２０は、各図面において左右方向に湾曲した構造をなす。
【００５９】
つまり、二次電池のケース２０、２２０、３２０、４２０、５２０、６２０、７２０、８２０、９２０および１２０は、上下方向および左右方向に湾曲できる。
また、第１０実施形態において、補強部材１２３は、ｙ軸方向の曲率半径で湾曲して凹曲面部１２１に付着する。つまり、第１ないし第９実施形態の補強部材２０３、２２３、３２３、４２３、５２３、６２３、７２３、８２３、９２３は、第１０実施形態のケース１２０の湾曲した方向に沿って湾曲してケース１２０の凹曲面部１２１に適用可能である。
【００６０】
以上、本発明の好ましい実施形態について説明したが、本発明はこれに限定されるものではなく、特許請求の範囲と発明の詳細な説明および添付した図面の範囲内で多様に変形して実施することが可能であり、これも本発明の範囲に属することは当然である。
【符号の説明】
【００６１】
１０：電極アセンブリ
１１：正極
１２：負極
１３：セパレータ
１４：正極リードタブ
１５：負極リードタブ
２０、１２０、２２０、３２０、４２０、５２０、６２０、７２０、８２０、９２０：ケース
３０：キャッププレート
３１：端子ホール
３２：電解液注入口
３３：密封栓
４０：電極端子
４１：絶縁ガスケット
５０：ターミナルプレート
５５：絶縁プレート
６０：絶縁ケース
１４１、１５１：タブホール
２０１：曲面部
２０２：側面部
１２３、２０３、２２３、３２３、４２３、５２３、６２３、７２３、８２３、９２３：補強部材
１２１、２１１、２２１、３２１、４２１、５２１、６２１、７２１、８２１、９２１：第１曲面部（凹曲面部）
２１２：第２曲面部（凸曲面部）
７２４：アルミニウム層
７２５、８２５：補強層
８２４：接着層
Ｇ、Ｇ２、Ｇ４：間隔
Ｗ、Ｗ２、Ｗ４：幅
【図１】
2015103517.tif 000003
【図２】
2015103517.tif 000004
【図３】
2015103517.tif 000005
【図４】
2015103517.tif 000006
【図５】
2015103517.tif 000007
【図６】
2015103517.tif 000008
【図７】
2015103517.tif 000009
【図８】
2015103517.tif 000010
【図９】
2015103517.tif 000011
【図１０】
2015103517.tif 000012
【図１１】
2015103517.tif 000013
【図１２】
2015103517.tif 000014
【図１３】
2015103517.tif 000015
【図１４】
2015103517.tif 000016